(57)【特許請求の範囲】
【請求項１】
画像表示部の前面に配設する光学フィルタに光透過性のある導電メッシュを配設し、導電メッシュ上に導電性粘着剤により光散乱処理層を粘着し、光散乱処理層側を画像表示部に対向させて画像表示部の前面に取付けるようにした電磁波漏洩防止フィルタ。
【請求項２】
前記光散乱処理層は、無色透明なフィルムの表面に形成したものでなる請求項１記載の電磁波漏洩防止フィルタ。
【請求項３】
前記光学フィルタは、無色透明な合成樹脂のフィルタ基台に画像表示部の発光色の補正機能、画像表示部の発する近赤外領域の線スペクトル遮断機能を設けたものでなり、１面に前記導電メッシュを配設し、導電メッシュ上に前記導電性粘着剤により光散乱処理層を粘着してなる請求項１または請求項２記載の電磁波漏洩防止フィルタ。
【請求項４】
前記光学フィルタに光反射防止層を設け、外光の反射を防止するようにした請求項３記載の電磁波漏洩防止フィルタ。
【請求項５】
前記導電メッシュを画像表示部の筺体に接続し、画像表示部からの電磁波により誘起される電荷（電圧）を接地するようにした請求項１、請求項２、請求項３または請求項４記載の電磁波漏洩防止フィルタ。
【発明の詳細な説明】
【０００１】
【発明の属する技術分野】
本発明は電磁波漏洩防止フィルタに係り、画像表示部からの電磁波を光学フィルタで遮蔽するものに関する。
【０００２】
【従来の技術】
映像表示装置に使用されるガス放電表示パネル、例えば、プラズマディスプレイパネル（ＰＤＰ）は、電極間の放電により内部に封入されているガスの分子を励起し（具体的にはキセノンガスとネオンガスとを混合し、キセノンガスの分子の励起を助ける）、発生する紫外線で内部に塗布されている蛍光物質を励起し、可視光領域の光を発光させ、映像を表示するのであるが、この放電等により電磁波が発生し、僅かではあるが外部に電磁波が漏洩する。この電磁波の漏洩防止のため、ＰＤＰの前面にＰＤＰの発する近赤外線領域の波長を遮断するために配設される光学フィルタに電磁波漏洩防止機能を設けている。この機能は、例えば、光学フィルタの基材であるアクリル等の合成樹脂板面に導電体を網目状に形成したもの（導電メッシュと記す）を配設することにより達成される。導電メッシュは、漏洩を防止すべき周波数範囲をカバーし、かつ、映像光の妨げにならないように導電メッシュの格子の導体幅および導体間隔を最適に設定し、ＰＤＰの筺体に導電メッシュを接続して電磁波により誘起される電荷を接地すると共に、ＰＤＰの画素の行列とメッシュの導体とが重なって映像光を妨げることのないようにメッシュの向きを図４に示す如く斜めに設定する。
【０００３】
ところで、ＰＤＰはライトイレーズ（新たな映像データを各画素に書込むため一旦全画素のデータを一斉に消去する）のための所要の周期で約350Vのパルスを電極間に印加する。フィルタはＰＤＰの前面に近接して配設されるため、ＰＤＰの前面ガラスとフィルタとが容量結合した状態となり、上記ライトイレーズのためのパルス電圧が結合容量を通じてフィルタの導電メッシュに上記所要の周期で電荷が生成される。この電荷は、接地回路のインピーダンスにより導電メッシュと接地との間に瞬時的に電圧（実測によれば最大約140V）が生成されるが、接地に導通して導電メッシュの電圧は0Vとなる。一方、この瞬時的な電圧（約140V）は、図５に示すように、導電メッシュ12の格子で囲まれた部分41（アクリル系の粘着剤が存在する）に電荷が帯電し、導電メッシュ12の電圧が0Vとなった後もこの電荷が残る。帯電部分は導電メッシュ12と至近距離にあるため耐電圧を越え、導電メッシュ12の電圧が0Vに下がると同時にこの電荷が導電メッシュ12に向かって瞬時に放電（スパーク）する。この放電は、ＡＣ（交流）駆動型のＰＤＰで、例えば、映像信号がＮＴＳＣ方式の場合、１フィールドに６サブフィールドを設けて駆動するようにした場合、導電メッシュ12の電圧発生の繰り返し（所要）周期は約360Hz（60フィールド×６サブフィールド＝360Hz）であり、放電も約360Hzで繰り返され、スパーク音が異常音として聞こえる。
【０００４】
【発明が解決しようとする課題】
本発明はこのような点に鑑み、ＰＤＰの電磁波漏洩防止のため光学フィルタ面に形成する導電メッシュの格子内に、ライトイレーズのためＰＤＰに印加されるパルス電圧により誘起される電荷を帯電しないようにし、帯電電荷の放電による異常音の発生を防止することにある。
【０００５】
【課題を解決するための手段】
本発明は上述の課題を解決するため、ＰＤＰ（画像表示部）の前面に配設する光学フィルタに光透過性のある導電メッシュを配設し、導電メッシュ上に導電性粘着剤により光散乱処理層を粘着し、光散乱処理層側をＰＤＰに対向させてＰＤＰの前面に取付けるようにした電磁波漏洩防止フィルタを提供するものである。
【０００６】
【発明の実施の形態】
本発明による電磁波漏洩防止フィルタでは、無色透明で耐衝撃性を有するアクリルあるいはポリカーボネート等の合成樹脂にＰＤＰの発光色を補正するための顔料を適宜に混合し、ＰＤＰの発する近赤外領域の線スペクトルを吸収するための近赤外線吸収層を設けてフィルタ基台とし、外面側に外光反射防止処理層すなわちＡＲ（Anti-Reflection ）コート層（ＡＲフィルム）を設けて外光の反射を防止し、内面側（ＰＤＰ側）に導電メッシュを配設してＰＤＰより放射される電磁波の外部への漏洩を防止し、導電メッシュ上に光散乱処理すなわちＡＧ（Anti-Glare）処理（防眩処理）したＡＧ処理フィルムを透明な導電性粘着剤により粘着し、ＡＧ処理面で画面のぎらつきを防止し、導電性粘着剤により導電メッシュの格子間を導通させて電磁波漏洩防止フィルタを構成する。導電メッシュはＰＤＰの筺体に接続し、ＰＤＰからの電磁波を導電メッシュで電流に変換し、アースに導通する。
【０００７】
【実施例】
以下、図面に基づいて本発明による電磁波漏洩防止フィルタの実施例を詳細に説明する。図１は本発明による電磁波漏洩防止フィルタを取付けた状態の一例の概要図、図２は本発明による電磁波漏洩防止フィルタの一実施例の要部側断面図、図３は本発明による電磁波漏洩防止フィルタの他の実施例の要部側断面図、図４は導電メッシュの説明図、図５は導電メッシュの拡大図である。
【０００８】
図１において、１はＰＤＰ、２は電磁波漏洩防止フィルタ（以降、フィルタと略す）、３は筺体前部、４は筺体後部である。フィルタ２の周縁部に取付金具７を当接し、この取付金具７をネジ６で筺体前部３の取付ボス５に締付け、フィルタ２を筺体前部３に取付ける。ＰＤＰ１は、取付ボス８を介してネジ９により筺体後部４に固定し、筺体後部４を筺体前部３に取付けることにより、ＰＤＰ１の周縁部を取付金具７に当接させ、取付金具７をフィルタ２に強く接触させ、フィルタの周縁部に導出されている後述する導電メッシュと密に接触するようにする。取付ボス５、筺体前部３の内面、筺体後部４の内面および取付ボス８等は表面に導電処理加工を行い、これにより、導電メッシュをＰＤＰ１の背面の金属部（アース）に接続し、ＰＤＰより放射される電磁波により導電メッシュ12に誘起される電荷をアースに導通する。
【０００９】
図２において、11はフィルタ基台、12はフィルタ基台11の１面に配設した導電メッシュ、13はＡＧ処理フィルム、14はＡＧ処理フィルム13を導電メッシュ12上に粘着すると同時に導電メッシュ12の格子間を電気的に導通させるための導電性粘着剤である。フィルタ基台11は、無色透明で耐衝撃性を有する合成樹脂、例えば、アクリルあるいはポリカーボネートに、ＰＤＰの発光色を補正するための赤色成分を吸収する選択吸収フィルタ用の顔料を混合し、青色発光用の蛍光物質が青色の他に僅かに発光する赤色成分を吸収するようにする。これに、図示しない近赤外線吸収フィルタ層を設け、ＰＤＰより放出される近赤外領域（800nm 〜1000nm）の線スペクトルを吸収し、周辺に設置される赤外線リモートコントロール装置あるいは光通信機器の動作に支障を生じないようにする。
【００１０】
導電メッシュ12は、例えば、フィルタ基台11の表面にレジスト層を介して銅等の金属を所要の厚み（例えば、0.1 μm ）に無電解メッキし、その上にニッケル等の金属を所要の厚み（例えば、100 Å）に無電解メッキし、その上にフォトレジストし、紫外線を照射してメッシュ導体部以外のレジストを除去し、エッチングにより導電メッシュを生成する。そして、可視光線をよく透過し、かつ、30MHz〜130MHzの周波数範囲の電磁波を遮蔽するように、ＰＤＰの画面サイズおよび画素のピッチ等を勘案し、例えば、図６に示すように導体幅（15μm ）および導体間隔（127 μm ）に設定し、上記周波数範囲の電磁波を遮蔽するようにし、図５に示すようにメッシュの向きを斜め45°に傾斜させ、ＰＤＰ１の画素の行・列（縦横）にメッシュが重なって映像の邪魔にならないようにする。なお、導電メッシュ12は、合成樹脂のメッシュ織物に高導電率の金属である銅または銅ニッケル等を無電解メッキして金属織布とし、フィルタ基台11に粘着する、あるいはフィルタ基台11を２枚に分割して層間に挟持するようにしてもよい。金属織布はメッシュの細さ（すなわち導体幅）に限界があるので小口径のＰＤＰには不向きであるが、40〜50型等の大口径の場合に有効である。あるいは、上述のようにメッシュではなく、銀あるいは金等の金属をスパッタして光を透過する薄膜を形成するか、または、フィルタ基台をガラス材で構成し、酸化錫等の金属を真空蒸着して光を透過する薄膜を形成するようにしてもよい。
【００１１】
ＡＧ処理層（ＡＧ処理フィルム）13は、無色透明なフィルムの表面に微細な凹凸を形成し、照明器具等からの光を乱反射させて散乱させ、ぎらつきを防止すると共にＰＤＰの映像と重なって画面が見にくくならないようにしたもので、このＡＧ処理層13を、導電性粘着剤14、すなわち、アクリル系の粘着剤に導電性金属酸化物、例えば、酸化錫およびアンチモンの混合物の微粒子を混合し、導電性を持たせた粘着剤により導電メッシュ12上に粘着する。そして、ＡＧ処理層13側をＰＤＰ側にして図１に示すようにＰＤＰ１の前面に取付け、導電メッシュ12の導出部分に取付金具７を当接させて導通をとり、取付金具７を介して導電メッシュ12をアースに接続する。なお、このようにＡＧ処理層13がＰＤＰ１に対向することにより、ＰＤＰ１の前面にフィルタ２を接触させて配設した場合にＡＧ処理層13の表面の凹凸によりＰＤＰ１の表面にフィルタ２が密着されず、ニュートンリング（明暗の同心円）の発生を抑えることができる。
【００１２】
図３は、前記フィルタ基台11の外面側（図の下方）にＡＲフィルム21を粘着した例である。ＡＲフィルム21は、例えば、透明フィルムの表面に屈折率の異なる材料からなる膜を複数枚重ねて蒸着する、あるいはフッ素樹脂を塗布して膜を形成し、フィルタ体内に入射した光を複雑に屈折させて前方に戻りにくくし、外光の反射による映像のコントラストの低下を防止する。
【００１３】
導電メッシュ12上に導電性粘着剤14を塗布しない場合、前述した如く、ＰＤＰ１のライトイレーズにより導電メッシュ12に約140Vの電荷が誘起され、導電メッシュ12の格子で囲まれた部分41（アクリル系の粘着剤が存在する）にこの電荷が帯電され、導電メッシュ12の電荷が取付金具７を介してアースに流れ0Vとなった後も、光学フィルタ２は高絶縁体のため図５に示すようにこの電荷が残り、0Vとなった導電メッシュ12に向かって放電するが、導電メッシュ12上に導電性粘着剤14を塗布することにより、導電メッシュ12の格子間に導電性粘着剤が入り込んで導電メッシュ12の格子間が電気的に導通状態になり、格子間部分41の電圧は常に導電メッシュ12の電圧と略同じになり、従って、放電は行われず、異常音は生じないものとなる。
【００１４】
【発明の効果】
以上に説明したように、本発明による電磁波漏洩防止フィルタによれば、ＰＤＰの電磁波漏洩防止のため光学フィルタに設ける導電メッシュの格子間を導電性粘着剤で埋めるので、ライトイレーズのためＰＤＰに印加されるパルス電圧により導電メッシュに電荷が誘起され放電されるとき導電メッシュの格子間（フィルタ基台）の電圧は常に導電メッシュと略同電位であるから放電は行われず、異常音を発生しないものとなる。
【図面の簡単な説明】
【図１】本発明による電磁波漏洩防止フィルタを取付けた状態の概要図である。
【図２】本発明による電磁波漏洩防止フィルタの一実施例の要部側断面図である。
【図３】本発明による電磁波漏洩防止フィルタの他の実施例の要部側断面図である。
【図４】本発明による電磁波漏洩防止フィルタの導電メッシュの説明図である。
【図５】本発明による電磁波漏洩防止フィルタの導電メッシュの部分拡大図である。
【符号の説明】
１  ＰＤＰ
２  電磁波漏洩防止フィルタ
７  取付金具
11  フィルタ基台
12  導電メッシュ
13  ＡＧ処理層（ＡＧ処理フィルム）
14  導電性粘着剤
21  ＡＲフィルム
【図１】
0003541547.tif 000002
【図２】
0003541547.tif 000003
【図３】
0003541547.tif 000004
【図４】
0003541547.tif 000005
【図５】
0003541547.tif 000006